(57)【要約】【課題】無線チャネルの有効利用が図れ、緊急の場合でも確実に対処できるランダムアクセス方式の無線電話システムにおける無線電話端末の帰属制御方法を提供する。【解決手段】それぞれ帯域の異なる無線チャネルを使用する複数の無線アクセスポイントＡＰ１〜ＡＰ３を有し、各無線アクセスポイントに複数台の無線電話端末（ＨＳ）５を帰属させて、当該無線アクセスポイントの無線チャネルをランダムアクセス方式で共用して通話を行う無線電話システムにおける無線電話端末の帰属制御方法において、各無線アクセスポイントにおける同時通話数を監視し、無線電話端末５の発信および／または着信の際に、無線電話端末５が帰属する無線アクセスポイントＡＰ１の同時通話数が予め設定した最大同時通話数に達しているときは、無線電話端末５の帰属処理を再度実行して、最大同時通話数に達している無線アクセスポイントＡＰ１への帰属要求を拒否する。【選択図】図１
2006332764.tif 000002
【特許請求の範囲】
【請求項１】
それぞれ帯域の異なる無線チャネルを使用する複数の無線アクセスポイントを有し、各無線アクセスポイントに複数台の無線電話端末を帰属させて、当該無線アクセスポイントの無線チャネルをランダムアクセス方式で共用して通話を行う無線電話システムにおける無線電話端末の帰属制御方法において、
各無線アクセスポイントにおける同時通話数を監視し、上記無線電話端末の発信および／または着信の際に、当該無線電話端末が帰属する上記無線アクセスポイントの同時通話数が予め設定した最大同時通話数に達しているときは、当該無線電話端末の帰属処理を再度実行して、上記最大同時通話数に達している上記無線アクセスポイントへの帰属要求を拒否することを特徴とする無線電話システムにおける無線電話端末の帰属制御方法。
【請求項２】
上記無線電話端末からのＰｒｏｂ Ｒｅｑ．に対する応答信号を返さないことにより、当該無線電話端末からの帰属要求を拒否することを特徴とする請求項１に記載の無線電話システムにおける無線電話端末の帰属制御方法。
【請求項３】
上記無線電話端末からのＡｕｔｈ Ｒｅｑ．に対する応答信号を返さないことにより、当該無線電話端末からの帰属要求を拒否することを特徴とする請求項１に記載の無線電話システムにおける無線電話端末の帰属制御方法。
【請求項４】
上記最大同時通話数に達している上記無線アクセスポイントに帰属している上記無線電話端末に対する着信時は、当該無線電話端末に対してＤｅ Ａｕｔｈを送出して、当該無線電話端末の帰属処理を再度実行することを特徴とする請求項１乃至３のいずれか一つに記載の無線電話システムにおける無線電話端末の帰属制御方法。
【発明の詳細な説明】
【技術分野】
【０００１】
本発明は、ランダムアクセス方式にて無線チャネルを複数の無線電話端末で共用する無線電話システムにおける無線電話端末の帰属制御方法に関するものである。
【背景技術】
【０００２】
従来の無線電話システムとして、例えば図８に示す構成のものが知られている。この無線電話システムは、それぞれ帯域の異なる無線チャネルを使用する基地局であるＩＥＥＥ８０２．１１ｂ方式の無線アクセスポイント（ＡＰ）を複数（図８では、３個のＡＰ１〜ＡＰ３）有しており、これらＡＰ１〜ＡＰ３にそれぞれ無線電話端末（ＨＳ）５が複数台帰属可能になっている。
【０００３】
ＡＰ１〜ＡＰ３はＬＡＮスイッチ（ＬＡＮ−ＳＷ）６に接続されており、このＬＡＮ−ＳＷ６には、さらにＨＳ５をＳＩＰプロトコルで呼制御する呼制御装置であるＳＩＰサーバ７が接続されていると共に、ＡＰ１〜ＡＰ３における通話数を管理して通信を制御する制御装置であるコントローラ８が接続されている。
【０００４】
かかる無線電話システムでは、各ＨＳ５において、その端末本体に設けられているサーチキーや電源キーを押下することにより、ＡＰ１〜ＡＰ３が使用する無線チャネルをスキャンして、当該ＨＳ５を一つのＡＰ、例えばＡＰ１に帰属させるようになっている。この帰属処理では、図９に示すように、ＨＳからＡＰ１が使用する無線チャネルでＰｒｏｂ Ｒｅｑ．を送信し、ＡＰ１からのＰｒｏｂ Ｒｅｓ．をＨＳ５が受信したのを検出して、ＨＳ５から認証要求であるＡｕｔｈ Ｒｅｑ．を送信し、その応答信号であるＡＰ１からのＡｕｔｈ Ｒｅｓ．をＨＳ５が受信することにより、ＨＳ５を当該ＡＰ１に帰属させるようになっている。
【０００５】
この帰属処理後は、ＨＳ５が発信すると、その発信メッセージ（ＩＮＶＩＴＥ）が帰属先のＡＰ１で受信されてＬＡＮ−ＳＷ６を経てコントローラ８に送信され、コントローラ８からＬＡＮ−ＳＷ６を経てＳＩＰサーバ７に転送される。ＳＩＰサーバ７は、ＩＮＶＩＴＥを受信すると、その中の接続先情報（Ｒｅｑｕｅｓｔ ｕｒｉ）を参照して接続先を認識し、接続先を呼び出す。そして、接続先が応答すると、接続先端末とＨＳ５との間で音声パケットを送受して通話に入る。
【０００６】
この音声パケットは、ＡＰ１とＨＳ５との間は無線で送受されるため、同時通話数が増えてくると、無線チャネルの空き時間が少なくなってくる。そして、無線チャネルの最大スループットから決まる同時通話数を超えて呼接続を行うと、通話中にある他のＨＳ５の通話品質を低下させたり、呼が切断されたりするという問題が発生する。
【０００７】
このため、かかる従来の無線電話システムでは、許容可能な同時通話数以上の呼が発生した場合は接続を規制するようにしている。例えば、図８において、ＡＰ１〜ＡＰ３がそれぞれ１２台までの同時通話が可能である場合において、ＡＰ１が、帰属するＨＳ５からの発信を受けた時点で、同時通話数（ＡＣＴ）が最大同時通話数（ＭＡＸ＝１２台）と等しい場合は、図１０に示すように、ＨＳ５からのＩＮＶＩＴＥに対してコントローラ８から４８６／ＢＵＳＹを返信することにより、発信を規制するようにしている。また、着信においては、図１１に示すように、ＳＩＰサーバ７からのＩＮＶＩＴＥに対してコントローラ８から４８６／ＢＵＳＹを返信することにより、着信を規制するようにしている。
【０００８】
ところが、ＡＰの設置場所によっては、帰属中のＡＰ１が最大同時通話数で使用できなくても、隣接するＡＰ２やＡＰ３には同時通話数に余裕があり、まだ通話できる場合がある。しかし、この種の従来の無線電話システムでは、このような場合でも、隣接するＡＰ２やＡＰ３に帰属先を切り替えるようにはなっておらず、帰属中のＡＰ１が最大同時通話数に達していれば、単に接続を規制するようにしている。なお、図８では、ＬＡＮ−ＳＷ６に接続したコントローラ８によって、ＡＰ１〜ＡＰ３の各々における同時通話数を管理して通信を制御するようにしたが、このようなコントローラ８の機能をＡＰ１〜ＡＰ３の各々に持たせるようにして、コントローラ８を省く構成とする場合もある。
【０００９】
一方、ＰＨＳ方式では、通話の開始に先立って、ＰＳ（子機）から基地局にアクセスして通話に使用する無線スロットを確保するようにしており、この際、基地局に既に最大通話数の呼が存在している場合には、当該基地局から子機に対して通話数がフルであることを通知し、これにより子機は新たな基地局を捜して無線スロットを要求し、その要求が受け付けられると、その新たな基地局に対して無線スロットを設定して発着信を行うようにしている（例えば、非特許文献１参照）。
【非特許文献１】第二世代コードレス電話システム  標準規格  ＲＥＣ ＳＴＤ-２８  ４．１版  社団法人電波産業会
【発明の開示】
【発明が解決しようとする課題】
【００１０】
しかしながら、図８に示したような異なる無線チャネルを使用する複数のＡＰを有し、各無線チャネルをランダムアクセス方式にて複数のＨＳで共用する無線電話システムでは、通信を行うＡＰに対して予め帰属処理を行っておく必要があり、呼の生成時は、ＨＳと帰属先のＡＰとの間で直接発着信の制御信号を送信するため、ＰＨＳ方式と同じ接続制御方法は採用できない。また、ランダムアクセス方式であるため、予め帯域を確保する手順が存在しておらず、ＨＳ側でＡＰを自動的に切り替えて発着信を起動する機能を有していない。
【００１１】
このため、上述した従来のランダムアクセス方式の無線電話システムでは、システム全体としての無線チャネルの有効利用が図れないという問題があると共に、帰属中のＡＰが最大同時通話数に達している場合には通話ができないため、緊急の場合に対処できない虞がある。
【００１２】
したがって、かかる事情に鑑みてなされた本発明の目的は、無線チャネルの有効利用が図れ、緊急の場合でも確実に対処できるランダムアクセス方式の無線電話システムにおける無線電話端末の帰属制御方法を提供することにある。
【課題を解決するための手段】
【００１３】
上記目的を達成する請求項１に係る発明は、それぞれ帯域の異なる無線チャネルを使用する複数の無線アクセスポイントを有し、各無線アクセスポイントに複数台の無線電話端末を帰属させて、当該無線アクセスポイントの無線チャネルをランダムアクセス方式で共用して通話を行う無線電話システムにおける無線電話端末の帰属制御方法において、
各無線アクセスポイントにおける同時通話数を監視し、上記無線電話端末の発信および／または着信の際に、当該無線電話端末が帰属する上記無線アクセスポイントの同時通話数が予め設定した最大同時通話数に達しているときは、当該無線電話端末の帰属処理を再度実行して、上記最大同時通話数に達している上記無線アクセスポイントへの帰属要求を拒否することを特徴とするものである。
【００１４】
請求項２に係る発明は、請求項１に記載の無線電話システムにおける無線電話端末の帰属制御方法において、上記無線電話端末からのＰｒｏｂ Ｒｅｑ．に対する応答信号を返さないことにより、当該無線電話端末からの帰属要求を拒否することを特徴とするものである。
【００１５】
請求項３に係る発明は、請求項１に記載の無線電話システムにおける無線電話端末の帰属制御方法において、上記無線電話端末からのＡｕｔｈ Ｒｅｑ．に対する応答信号を返さないことにより、当該無線電話端末からの帰属要求を拒否することを特徴とするものである。
【００１６】
請求項４に係る発明は、請求項１乃至３のいずれか一つに記載の無線電話システムにおける無線電話端末の帰属制御方法において、上記最大同時通話数に達している上記無線アクセスポイントに帰属している上記無線電話端末に対する着信時は、当該無線電話端末に対してＤｅ Ａｕｔｈを送出して、当該無線電話端末の帰属処理を再度実行することを特徴とするものである。
【発明の効果】
【００１７】
本発明によると、無線電話端末の発信および／または着信の際に、帰属中の無線アクセスポイントが最大同時通話数に達しているときは、当該無線電話端末の帰属処理が再度実行されて、最大同時通話数に達している無線アクセスポイントへの帰属要求が拒否されるので、当該無線電話端末を最大同時通話数に達していない他の無線アクセスポイントに帰属させて発信および／または着信を行うことが可能となる。したがって、システム全体としての無線チャネルの有効利用が図れると共に、緊急の場合でも確実に対処することができる。
【発明を実施するための最良の形態】
【００１８】
以下、本発明の実施の形態について、図１乃至図７を参照して説明する。
【００１９】
（第１実施の形態）
図１乃至図４は本発明の第１実施の形態を示すもので、図１は発信時のシーケンスを示す図、図２は再帰属処理の動作を示すフローチャート、図３は着信処理の要部の動作を示すフローチャート、図４は着信時のシーケンスを示す図である。
【００２０】
本実施の形態は、図８に示した構成の無線電話システムにおいて、コントローラ８によってＡＰ１〜ＡＰ３の各々における同時通話数（ＡＣＴ）を監視し、そのＡＣＴが予め設定した最大同時通話数（ＭＡＸ）に達しているＡＰに帰属中のＨＳ５から発信があった場合や、当該ＨＳ５に着信があった場合に、当該ＨＳ５の帰属処理を再度起動して、ＡＣＴ＝ＭＡＸのＡＰに対する帰属要求を拒否することにより、当該ＨＳ５をＡＣＴ＜ＭＡＸにある他のＡＰに帰属させて通話を可能にしたものである。
【００２１】
例えば、ＡＰ１〜ＡＰ３の各々におけるＭＡＸが１２台で、ＡＰ１のＡＣＴが１２台、ＡＰ２のＡＣＴが８台、ＡＰ３のＡＣＴが６台の時に、ＡＰ１に帰属中の他のＨＳ５から新たに発呼（発信）があった場合や、ＡＰ１に帰属中の他のＨＳ５に新たに着呼（着信）があった場合には、このＨＳ５の帰属処理を再度実行し、その際にＡＰ１への帰属要求を拒否して、当該ＨＳ５をＡＣＴ＜ＭＡＸにある例えばＡＰ２に帰属させて通話を可能にする。
【００２２】
このため、発信時においては、図１に示すように、ＡＰ１において、帰属中のＨＳ５からＩＮＶＩＴＥを受信したら、そのＩＮＶＩＴＥをコントローラ８に供給して、コントローラ８において、その時点でのＡＰ１のＡＣＴを確認し、ＡＣＴが既にＭＡＸであったら、ＡＰ１を経て当該ＨＳ５に４８６／ＢＵＳＹを返信する。
【００２３】
その後、ＨＳ５が４８６／ＢＵＳＹを受信したら、ＨＳ５の所持者により端末本体に設けられているサーチキーの押下や、電源キーの押下による電源のオフ・オンによって、ＨＳ５が有するスキャン機能を起動させ、これによりＡＰ１〜ＡＰ３が使用する無線チャネルをスキャンして、再帰属処理を実行させる。
【００２４】
この再帰属処理においては、図２に示すように、ＨＳからのＰｒｏｂ Ｒｅｑ．を受信したら（ステップＳ１）、そのＰｒｏｂ Ｒｅｑ．を受信したＡＰの現在のＡＣＴを確認して（ステップＳ２）、ＡＣＴが予め設定したＭＡＸに達しているか否かを判断し（ステップＳ３）、ＭＡＸに達していればＰｒｏｂ Ｒｅｓ．を返送しないことにより当該ＡＰに対する帰属要求を拒否し、ＭＡＸに達していなければ、Ｐｒｏｂ Ｒｅｓ．を返送して（ステップＳ４）、ＨＳ５の当該ＡＰに対する帰属要求を受け入れる。
【００２５】
すなわち、図１の場合には、ＡＰ１への帰属要求として、ＨＳ５からＡＰ１にＰｒｏｂ Ｒｅｑ．が送信されたら、コントローラ８はそれに対する応答信号を返すことなく、ＨＳ５においてタイムアップさせて、ＨＳ５からのＡＰ１への帰属要求を拒否し、これによりＨＳ５において、次のＡＰ２に対する帰属要求を実行させる。
【００２６】
このＡＰ２に対する帰属要求では、ＡＰ２においてＨＳ５からのＰｒｏｂ Ｒｅｑ．を受信したら、コントローラ８においてその時点でのＡＰ２のＡＣＴを確認し、ＡＣＴがＭＡＸに達していなければ、ＡＰ２を経て当該ＨＳ５に対してＰｒｏｂ Ｒｅｑ．の応答信号であるＰｒｏｂ Ｒｅｓ．を返信する。その後、ＨＳ５では、ＡＰ２からのＰｒｏｂ Ｒｅｓ．の受信を検出して、認証要求であるＡｕｔｈ Ｒｅｑ．を送信し、その応答信号であるＡＰ２からのＡｕｔｈ Ｒｅｓ．を受信して、当該ＨＳ５をＡＰ２に帰属させる。
【００２７】
したがって、その後、ＨＳ５から再発呼することにより、その発信メッセージ（ＩＮＶＩＴＥ）が帰属先のＡＰ２で受信されてＬＡＮ−ＳＷ６を経てコントローラ８に送信され、コントローラ８からＬＡＮ−ＳＷ６を経てＳＩＰサーバ７に転送されて接続先が呼び出され、その呼び出しに接続先が応答することで、接続先端末とＨＳ５との間でＡＰ２を介して音声パケットによる通話が可能となる。
【００２８】
一方、着信の際には、図３にフローチャートを示すように、コントローラ８がＳＩＰサーバ７からのＩＮＶＩＴＥを受信したら（ステップＳ１１）、そのＩＮＶＩＴＥから接続先のＨＳが帰属するＡＰの現在のＡＣＴを確認して（ステップＳ１２）、ＡＣＴがＭＡＸに達しているか否かを判断する（ステップＳ１３）。
【００２９】
ここで、ＡＣＴがＭＡＸに達していなければ、ＩＮＶＩＴＥを中継して（ステップＳ１４）、通常の着信処理を行ってＩＮＶＩＴＥ処理を終了し、ＭＡＸに達していれば、ＩＮＶＩＴＥを廃棄して（ステップＳ１５）、接続先のＨＳにＤｅ Ａｕｔｈを送出し（ステップＳ１６）、ＩＮＶＩＴＥ処理を終了する。
【００３０】
すなわち、図４に着信時のシーケンスを示すように、コントローラ８がＳＩＰサーバ７からＩＮＶＩＴＥを受信した時点で、その接続先のＨＳ５が帰属するＡＰ１のＡＣＴがＭＡＸに達している場合には、コントローラ８からＡＰ１にサーチ指示を送信し、これによりＡＰ１から接続先のＨＳ５にＤｅ Ａｕｔｈを送信する。
【００３１】
接続先のＨＳ５は、帰属先のＡＰ１からのＤｅ Ａｕｔｈを受信したら、自動的に再帰属処理を実行させる。これにより、上述した発信時の場合と同様に、当該ＨＳ５からのＡＰ１へのＰｒｏｂ Ｒｅｑ．に対して、ＡＰ１からＰｒｏｂ Ｒｅｓ．を返さないでタイムアップさせることにより、当該ＨＳ５のＡＰ１に対する帰属要求を拒否して、該ＨＳ５をＡＣＴがＭＡＸに達していない例えばＡＰ２に帰属させる。
【００３２】
その後、コントローラ８がＳＩＰサーバ７から再送されるＩＮＶＩＴＥを受信した時点で、そのＩＮＶＩＴＥを中継してＡＰ２を介して通常の着信処理を行って、接続先のＨＳ５と発信先端末との間でＡＰ２を介して音声パケットによる通話を可能とする。
【００３３】
このように、本実施の形態では、ランダムアクセス方式のＨＳが、帰属処理において各ＡＰの無線チャネルをスキャンすることに着目し、ＡＣＴが予め設定したＭＡＸに達しているＡＰに帰属中のＨＳからの発信あるいはＨＳへの着信の際には、再度、ＨＳの帰属処理を起動して、ＡＣＴ＝ＭＡＸのＡＰに対しては、ＨＳからのＰｒｏｂ Ｒｅｑ．に対して応答信号を返すことなくタイムアップさせることにより、ＨＳの当該ＡＰに対する帰属要求を拒否して、ＨＳをＡＣＴ＜ＭＡＸにある他のＡＰに帰属させるようにしたので、この他のＡＰを使用して通話を行うことができる。したがって、システム全体としての無線チャネルの有効利用が図れると共に、緊急の場合でも確実に対処することができる。
【００３４】
（第２実施の形態）
図５乃至図７は本発明の第２実施の形態を示すもので、図５は再帰属処理の動作を示すフローチャート、図６は発信時のシーケンスを示す図、図７は着信時のシーケンスを示す図である。
【００３５】
本実施の形態は、ＡＣＴ＝ＭＡＸのＡＰに帰属しているＨＳの再帰属処理において、図５に示すように、ＨＳからのＡｕｔｈ Ｒｅｑ．を受信したら（ステップＳ２１）、そのＡｕｔｈ Ｒｅｑ．を受信したＡＰの現在のＡＣＴを確認して（ステップＳ２２）、ＡＣＴが予め設定したＭＡＸに達しているか否かを判断し（ステップＳ２３）、ＭＡＸに達していればＡｕｔｈ Ｒｅｓ．を返送しないことによりＨＳをタイムアップさせて当該ＡＰに対する帰属要求を拒否し、ＭＡＸに達していなければ、Ａｕｔｈ Ｒｅｓ．を返送して（ステップＳ２４）、ＨＳの当該ＡＰに対する帰属要求を受け入れるようにしたもので、その他の制御は第１実施の形態と同様である。
【００３６】
すなわち、発信においては、図６に示すように、帰属先のＡＰ１からの４８６／ＢＵＳＹを受信したら、ＨＳ５の端末本体に設けられているサーチキーの押下や、電源キーの押下による電源のオフ・オンによって、ＨＳ５が有するスキャン機能を起動させ、これによりＡＰ１〜ＡＰ３が使用する無線チャネルをスキャンして、再帰属処理を実行させる。
【００３７】
この再帰属処理においては、ＡＰ１への帰属要求として、ＨＳ５からＡＰ１にＰｒｏｂ Ｒｅｑ．が送信されたら、ＡＰ１からＰｒｏｂ Ｒｅｓ．を返信し、その後、ＨＳ５からＡｕｔｈ Ｒｅｑ．が送信されたら、その応答信号を返すことなくＨＳ５においてタイムアップさせて、ＨＳ５からのＡＰ１への帰属要求を拒否し、これによりＨＳ５において、次のＡＰ２に対する帰属要求を実行させて、ＡＰ２のＡＣＴがＭＡＸに達していなければ、当該ＨＳ５をＡＰ２に帰属させる。
【００３８】
したがって、その後、ＨＳ５から再発呼することにより、第１実施の形態と同様に、接続先端末とＨＳ５との間でＡＰ２を介して音声パケットによる通話が可能となる。
【００３９】
同様に、着信においては、図７に示すように、帰属先のＡＰ１からのＤｅ Ａｕｔｈを受信したら、自動的に再帰属処理を実行させて、上述した発信時の場合と同様に、当該ＨＳ５からのＡＰ１へのＡｕｔｈ Ｒｅｑ．に対して、ＡＰ１からＡｕｔｈ Ｒｅｓ．を返さないでタイムアップさせることにより、当該ＨＳ５のＡＰ１に対する帰属要求を拒否して、該ＨＳ５をＡＣＴがＭＡＸに達していない例えばＡＰ２に帰属させる。
【００４０】
したがって、その後、コントローラ８がＳＩＰサーバ７から再送されるＩＮＶＩＴＥを受信した時点で、通常の着信処理が行われて、接続先のＨＳ５と発信先端末との間でＡＰ２を介して音声パケットによる通話が可能となる。
【００４１】
このように、本実施の形態においては、ＡＣＴが予め設定したＭＡＸに達しているＡＰに帰属中のＨＳからの発信あるいはＨＳへの着信の際には、再度、ＨＳの帰属処理を起動して、ＡＣＴ＝ＭＡＸのＡＰに対しては、ＨＳからのＡｕｔｈ Ｒｅｑ．に対して応答信号を返すことなくタイムアップさせることにより、ＨＳの当該ＡＰに対する帰属要求を拒否して、ＨＳをＡＣＴ＜ＭＡＸにある他のＡＰに帰属させて通話を可能にしたので、第１実施の形態と同様に、システム全体としての無線チャネルの有効利用が図れると共に、緊急の場合でも確実に対処することができる。
【００４２】
なお、上記第１、第２実施の形態では、いずれも発信時および着信時の双方において再帰属処理を行うようにしたが、発信時のみ、または着信時のみ再帰属処理を行うようにすることもできる。
【図面の簡単な説明】
【００４３】
【図１】本発明の第１実施の形態に係る発信時のシーケンスを示す図である。
【図２】同じく、再帰属処理の動作を示すフローチャートである。
【図３】同じく、着信処理の要部の動作を示すフローチャートである。
【図４】同じく、着信時のシーケンスを示す図である。
【図５】本発明の第２実施の形態に係る再帰属処理の動作を示すフローチャートである。
【図６】同じく、発信時のシーケンスを示す図である。
【図７】同じく、着信時のシーケンスを示す図である。
【図８】本発明が適用可能な無線電話システムの一例の構成を示す図である。
【図９】従来の帰属処理の動作を示すシーケンスである。
【図１０】従来の発信規制の動作を示すシーケンスである。
【図１１】従来の着信規制の動作を示すシーケンスである。
【符号の説明】
【００４４】
１，２，３  無線アクセスポイント（ＡＰ）
５  無線電話端末（ＨＳ）
６  ＬＡＮスイッチ（ＬＡＮ−ＳＷ）
７  ＳＩＰサーバ
８  コントローラ
【図１】
2006332764.tif 000003
【図２】
2006332764.tif 000004
【図３】
2006332764.tif 000005
【図４】
2006332764.tif 000006
【図５】
2006332764.tif 000007
【図６】
2006332764.tif 000008
【図７】
2006332764.tif 000009
【図８】
2006332764.tif 000010
【図９】
2006332764.tif 000011
【図１０】
2006332764.tif 000012
【図１１】
2006332764.tif 000013